(57)【要約】【課題】インジェクタの制振効果および偏心抑制効果を併せもつ制振インシュレータを提供すること。【解決手段】本制振インシュレータ３は、インジェクタの円筒状のハウジングの外周に設けられ、当該ハウジングの外周面とシリンダヘッド２のインジェクタ取付孔との間に介在する環状の部材であって、コイルスプリング１５の内周に弾性材料１６を埋め込み、かつ、外周を当該弾性材料１６で包囲し、さらにその外周を２枚の外装プレート１７，１８で上下方向から包み込んでなる。【選択図】図２
2010106759.tif 000002
【特許請求の範囲】
【請求項１】
インジェクタの円筒状のハウジングの外周に設けられ、当該ハウジングの外周面とインジェクタ取付孔との間に介在する環状の制振インシュレータであって、
環状に形成されたコイルスプリングの内周に弾性材料を埋め込み、かつ、外周を当該弾性材料で包囲し、さらにその外周を２枚の外装プレートで包み込んだことを特徴とする制振インシュレータ。
【請求項２】
請求項１に記載の制振インシュレータにおいて、
第１の外装プレートの一端部と第２の外装プレートの他端部とは重なり合う一方で第１の外装プレートの他端部と第２の外装プレートの一端部との間に隙間が形成されていることを特徴とする制振インシュレータ。
【請求項３】
請求項１または２に記載の制振インシュレータにおいて、
前記インジェクタのハウジングは、段付き円筒形状を有しており、その段差部にテーパ面が設けられ、
前記制振インシュレータの前記テーパ面との接触面は、アール形状をなしていることを特徴とする制振インシュレータ。
【発明の詳細な説明】
【技術分野】
【０００１】
本発明は、インジェクタの振動を制振するための制振インシュレータに関する。
【背景技術】
【０００２】
たとえば、特許文献１には、制振インシュレータが、その内周側に設けたインジェクタの軸方向後端側に向けてテーパ状に拡がる弧状断面の曲面でインジェクタと接触することで、インジェクタが偏心している際に調心することができる技術が開示されている。
【０００３】
また、特許文献２には、高いシール機能とともに、良好な振動減衰特性を得ることができる制振ガスケットとして、環状に成形されたコイルスプリングをエラストマーで包埋し、荷重方向の上面および下面にエラストマーから露出するコイルスプリングの露出部を設けた構成が開示されている。
【特許文献１】特開２００６−１３２４３７号公報
【特許文献２】特開２００７−２４７８９３号公報
【発明の開示】
【発明が解決しようとする課題】
【０００４】
上記特許文献１に記載の制振インシュレータは、弧状断面で材質がＭｎ−Ｃｕ鋼系制振合金よりなるものである。このような制振インシュレータにおいては、弧状断面はインジェクタの偏心を抑制できるが、材質が上記の制振合金であり、高温時に制振効果が低下する。これは、上記の制振合金は、合金そのものが振動吸収する双晶型の合金であるものの、６０℃以上で制振効果が減少し、１２０℃を超えると制振効果がなくなるからである。
【０００５】
他方、上記特許文献２に記載の制振ガスケットは、平面で接触する仕様であり、制振効果は高いが、インジェクタの偏心が課題となる。これは、平面同士で圧縮される取付構造をとるため、偏心を調心する構造となっていないからである。
【０００６】
本発明は、上記技術的課題に鑑みなされたもので、インジェクタの制振効果および偏心抑制効果を併せもつ制振インシュレータの提供を目的とする。
【課題を解決するための手段】
【０００７】
上記目的を達成するため、本発明にかかる制振インシュレータは、インジェクタの円筒状のハウジングの外周に設けられ、当該ハウジングの外周面とインジェクタ取付孔との間に介在する環状の制振インシュレータであって、環状に形成されたコイルスプリングの内周に弾性材料を埋め込み、かつ、外周を当該弾性材料で包囲し、さらにその外周を２枚の外装プレートで包み込んだものである。
【０００８】
上記構成において、コイルスプリングと弾性材料とが制振部となり、この制振部の低ばね定数および高強度によって、振動および騒音が低減される。
【０００９】
ところで、上記制振部で吸収した振動をシリンダヘッドに逃がす必要がある。
【００１０】
そこで、上記制振インシュレータにおいて、第１の外装プレートの一端部と第２の外装プレートの他端部とは重なり合う一方で第１の外装プレートの他端部と第２の外装プレートの一端部との間に隙間が形成されている。
【００１１】
また、前記インジェクタのハウジングは、段付き円筒形状を有しており、その段差部にテーパ面が設けられ、前記制振インシュレータの前記テーパ面との接触面は、アール形状をなしていることにより、インジェクタの取付角度が自由となり、Ｏリングが調心され、インジェクタ後端部とデリバリーパイプとの偏心を抑制することができる。
【発明の効果】
【００１２】
本発明によれば、インジェクタの制振効果および偏心抑制効果を併せもつ制振インシュレータの提供が可能となる。
【発明を実施するための最良の形態】
【００１３】
以下、本発明の実施の形態を添付図面に基づいて詳細に説明する。
【００１４】
図１は本発明の実施の形態にかかる制振インシュレータの取付状態を示す断面図である。
【００１５】
図１において、参照符号１はインジェクタ、２はシリンダヘッド、３は制振インシュレータである。
【００１６】
インジェクタ１は、段付き円筒形状を有するハウジング４を備えており、このハウジング４がシリンダヘッド２に貫通して形成されたインジェクタ取付孔５に収容される。
【００１７】
インジェクタ取付孔５に収容されるハウジング４の部分には、インジェクタ１の先端側に向かって大径部６、中径部７および小径部８が形成されている。特に、ハウジング４の大径部６と中径部７との間に生じる段差部には、先端側に向けて先細りする円錐形状のテーパ面９が設けられている。このテーパ面９が制振インシュレータ３に着座してインジェクタ１の軸方向の位置決めが行なわれる。
【００１８】
インジェクタ１は、その先端側、すなわち小径部８からインジェクタ取付孔５に挿入される。
【００１９】
インジェクタ１の後端側は、インジェクタカップ１１に挿入され、Ｏリング１２によってインジェクタカップ１１の内壁面との間のシール性が確保される。
【００２０】
上記大径部６の後端側のほぼ円筒部１３の側面には、図示しない電子制御ユニット（ＥＣＵ）と電気的に接続するためのコネクタ１４が径方向に突出して設けられている。
【００２１】
シリンダヘッド２のインジェクタ取付孔５は、上記テーパ面９に対向する部分を除いてインジェクタ１の形状に沿った形状とされている。そして、上記テーパ面９に対向する部分は、インジェクタ取付孔５の軸心に対してほぼ直交する平面とし、この平面に制振インシュレータ３を着座させ、それによってテーパ面９と制振インシュレータ３とが接触するようにしている。
【００２２】
図２は制振インシュレータの一部を拡大して示す断面図である。
【００２３】
図２を参照して、制振インシュレータ３は、上述したように、インジェクタ１の円筒状のハウジング４の外周に設けられ、当該ハウジング４の外周面とシリンダヘッド２のインジェクタ取付孔５との間に介在する環状の部材であって、環状に形成されたコイルスプリング１５の内周に弾性材料１６を埋め込み、かつ、外周を当該弾性材料１６で包囲し、さらにその外周を２枚の外装プレート１７，１８で包み込んで構成されている。
【００２４】
コイルスプリング１５は、ステンレス、ピアノ線に代表されるばね鋼を素材として作製されており、その断面形状は真円をなしている。
【００２５】
弾性材料１６としては、フッ素ゴム、ニトリルゴム、水素添加ゴム、フロロシリコーンゴムを主原料とし、カーボンブラック、シリカ、クレー、炭カルセライトなどの充填材、および各ゴムに適した老化防止剤、加工助剤、加硫剤を配合したゴム、あるいはＴＰＥなどのエラストマーが採用されている。
【００２６】
外装プレート１７，１８は、ステンレスなどの金属プレートからなる。上側の外装プレート１７の一端部１７ａが下側の外装プレート１８の他端部１８ｂ上にオーバーラップする一方で上側の外装プレート１７の他端部１７ｂと下側の外装プレート１８の一端部１８ａとの間に隙間１９が形成されている。また、上側の外装プレート１７の折代基端と下側の外装プレート１８の他端面とは、距離ｔを以ってして離間していいる。
【００２７】
また、制振インシュレータ３のインジェクタ１のハウジング４に形成されたテーパ面９と接触する面は、アール形状をなしている。
【００２８】
以上の説明から明らかな通り、本実施の形態では、制振インシュレータ３を、コイルスプリング１５の内周の弾性材料１６を埋め込み、かつ、外周を当該弾性材料１６で包囲し、さらにその外周を２枚の外装プレート１７，１８で上下方向から包み込んで構成しているので、コイルスプリング１５と弾性材料１６とが制振部となり、この制振部の低ばね定数および高強度によって、振動および騒音が低減される。
【００２９】
また、上側の外装プレート１７の一端部１７ａを下側の外装プレート１８の他端部１８ｂ上にオーバーラップさせる一方で上側の外装プレート１７の他端部１７ｂと下側の外装プレート１８の一端部１８ａとの間に隙間１９を形成しているので、上記制振部で吸収した振動をシリンダヘッド２に逃がすことができる。その結果、上記の効果をより顕著なものとなる。
【００３０】
さらに、インジェクタ１のハウジング４は、段付き円筒形状を有しており、その大径部６と中径部７との間に生じる段差部にテーパ面９を設け、制振インシュレータ３のテーパ面９との接触面をＲ形状としているので、インジェクタ１の取付角度が自由となり、Ｏリング１２が調心され、インジェクタ１の後端部とデリバリーパイプとの偏心を抑制することができる。
【００３１】
さらにまた、上側の外装プレート１７の折代基端およびお下側の外装プレート１８の他端面同士を、距離ｔをあけて離間させているので、制振インシュレータ３は、その離間距離ｔ分だけ収縮可能であり、その衝撃吸収機能が増す。
【００３２】
なお、本発明は上記実施の形態に限定されるものではない。
【００３３】
上記実施の形態においては、上側の外装プレートの一端部を下側の外装プレートの他端部上にオーバーラップさせる一方で上側の外装プレートの他端部と下側の外装プレートの一端部との間に隙間を形成した例について記載した。しかし、本発明はそのような構成には限定されない。下側の外装プレートの他端部を上側の外装プレートの一端部上にオーバーラップさせる一方で上側の外装プレートの他端部と下側の外装プレートの一端部との間に隙間を形成してもよい。
【００３４】
また、上記実施の形態においては、インジェクタのハウジングの大径部と中径部との間に生じる段差部にテーパ面を設け、制振インシュレータのテーパ面との接触面をアール形状とした例について記載した。しかし、本発明はそのような構成に限定されない。インジェクタのハウジングの中径部と小径部の間に生じる段差部にテーパ面を設け、制振インシュレータのテーパ面との接触面をアール形状としてもかまわない。
【００３５】
その他、本明細書に添付の特許請求の範囲内での種々の設計変更および修正を加え得ることは勿論である。
【図面の簡単な説明】
【００３６】
【図１】本発明の実施の形態にかかる制振インシュレータの取付状態を示す断面図である。
【図２】制振インシュレータの一部を拡大して示す断面図である。
【符号の説明】
【００３７】
１  インジェクタ
３  制振インシュレータ
４  ハウジング
５  インジェクタ取付孔
６  大径部
７  中径部
９  テーパ面
１６  コイルスプリング
１６  弾性材料
１７，１８  外装プレート
１９  隙間
【図１】
2010106759.tif 000003
【図２】
2010106759.tif 000004